(57)【要約】【課題】  デジタルカメラとのダイレクト接続環境での画像データ転送においてユーザの利便性を向上させること。【解決手段】  画像データや関連するデータをユーザ別のフォルダを作成してユーザ識別情報とともに管理するデータ管理手段と、前記データ管理手段により管理されているユーザ別のフォルダに対してユーザ識別情報を用いた所定の認証手段によるアクセス制限を行うアクセス制限手段と、撮像装置と通信を行う通信手段と、撮像装置に記憶されている画像データおよび付属データを受信するデータ受信手段と、受信した付属データの一部からユーザの識別に利用可能な情報を生成するユーザ識別情報生成手段と、ユーザ識別情報を前記認証手段に利用して合致するユーザ識別情報を有するフォルダを検索する検索手段と、前記撮像手段より受信した画像データおよび付属データを検索したフォルダに保存するデータ保存手段から構成される。【選択図】  図２
2007025973.tif 000002
【特許請求の範囲】
【請求項１】
撮像装置を接続可能な画像形成装置であって、
画像データや関連するデータを保持するデータ保持手段と、
前記データ保持手段により保持するデータをユーザ別のフォルダを作成してユーザ識別情報とともに管理するデータ管理手段と、
前記データ管理手段により管理されているユーザ別のフォルダに対して前記ユーザ識別情報を用いた所定の認証手段によるアクセス制限を行うアクセス制限手段と、
前記撮像装置と通信を行う通信手段と、
前記通信手段により前記撮像装置に記憶されている画像データおよび付属データを受信するデータ受信手段と、
前記受信手段により受信した付属データの一部からユーザの識別に利用可能な情報を生成するユーザ識別情報生成手段と、
前記受信手段により受信した付属データに前記ユーザ識別情報生成手段によるユーザ識別情報を生成可能なデータが含まれていれば前記ユーザ識別情報生成手段により生成されるユーザ識別情報を前記アクセス制限手段における前記認証手段に利用して該ユーザ識別情報に合致するユーザ識別情報を有するフォルダを検索する検索手段と、
前記検索手段により前記撮像手段より受信した付属データから生成されるユーザ識別情報に合致するユーザ識別情報を有するフォルダが存在する場合に前記撮像手段より受信した画像データおよび付属データを該フォルダに保存する第１のデータ保存手段と
を有することを特徴とする画像形成装置。
【請求項２】
前記画像形成装置は、前記検索手段により前記撮像手段より受信した付属データから生成されるユーザ識別情報に合致するユーザ識別情報を有するフォルダが存在しない場合に新規のフォルダを作成し、前記撮像手段より受信した画像データおよび付属データを前記新規フォルダに保存する第２のデータ保存手段を有することを特徴とする請求項１記載の画像形成装置。
【請求項３】
前記認証手段は、声紋認証によるものであり、
前記データ管理手段は、前記データ保持手段により保持するデータをユーザ別のフォルダを作成してユーザの声紋情報とともに管理し、
前記ユーザ識別情報生成手段は、前記受信手段により受信した付属データに前記撮像装置においてユーザが入力した音声メモから成る音声データから該ユーザの声紋情報を生成し、
前記検索手段は、声紋認証手段による照合結果に従って所定のフォルダを検索することを特徴とする請求項１記載の画像形成装置。
【発明の詳細な説明】
【技術分野】
【０００１】
本発明は、デジタルカメラで撮影された画像データに関連付けられている音声メモデータを用いて内部の記憶装置への画像データ記憶処理を実行する画像形成装置及び情報処理方法ならびに情報処理方法を実行するプログラムに関するものである。
【背景技術】
【０００２】
従来、デジタルカメラで撮影した画像を、ＰＣを使わないで印刷するための技術として、ダイレクトプリント技術があった。ダイレクトプリント技術は、デジタルカメラをＵＳＢケーブル等の通信手段により画像形成装置に接続して、デジタルカメラでのユーザからの指示に従ってデジタルカメラが画像形成装置に画像データを送信し、デジタルカメラから受信した画像データに従って画像形成装置が印刷出力するものであった（例えば、特許文献１あるいは特許文献２参照）。
【０００３】
また、印刷の原稿となる画像データを繰り返し利用して印刷効率をよくするための技術として、画像蓄積技術があった。画像蓄積技術は、原稿となる画像データを画像形成装置内の記憶装置に保存し、後の印刷時に何度も利用可能にするものであった（例えば、特許文献３あるいは特許文献４参照）。
【０００４】
画像蓄積を利用した技術としては、受信した画像データをユーザが指定するパスワード情報といっしょに蓄積管理し、画像出力時にはユーザに対してパスワード入力を要求して画像データを蓄積したユーザ本人であることが特定された場合のみ出力を許可するものであった（例えば、特許文献５参照）。
【０００５】
一方、個人認証方法の一つに声紋認証技術がある。声紋認証技術は、本人を特定するための身体的な特徴として声紋を利用し、人間の声をデジタル信号変換して得られる音声データを解析して本人を特定するものであった（例えば、特許文献６参照）。
【０００６】
声紋認証を利用した技術としては、迷惑電話防止システムがある。このシステムでは、電話の発信者の音声情報から声紋認証を行い、通話内容の音声認識によりテキスト化された転送先を検索し、声紋認証結果に基づいて転送先の通話相手に転送するかどうかを判断する特徴を持つものであった。（例えば、特許文献７参照）
【特許文献１】特開２００４−１２０４１６号公報
【特許文献２】特開２００４−１２９２１８号公報
【特許文献３】特開２００１−１６９０６２公報
【特許文献４】特開平１０−８３２６３号公報
【特許文献５】特開２００４−５４６５６号公報
【特許文献６】特開２００１−２２３８５号公報
【特許文献７】特開２００３−２６４８５７号公報
【発明の開示】
【発明が解決しようとする課題】
【０００７】
しかしながら、例えば、デジタルカメラと画像形成装置をダイレクト接続した環境において、デジタルカメラで撮影した画像を画像形成装置に転送し、画像形成装置が転送した画像データを保存してその後いつでも何度でも出力させるためには、例えば、ダイレクトプリント技術を用いた通信方式により画像データを受け取り、画像蓄積技術により転送画像を画像形成装置内の記憶装置に保存する構成になるが、そのような構成における画像データの処理方法についての具体的な報告はない。
【０００８】
デジタルカメラの画像データをＰＣに転送する場合においては、画像データの論理的な保存先は、予め転送用に用意されたフォルダか、ユーザが指定するフォルダであり、さらにユーザ任意の名称のフォルダや画像データの日付に従って新規のフォルダが作成され、そのフォルダ内に保存されるのが一般的だった。
【０００９】
デジタルカメラから画像形成装置内の記憶装置に転送する場合にも、同じように転送用に用意されたフォルダかユーザが指定するフォルダに画像データを転送することが考えられるが、カメラ側からの指示に従って画像転送する場合には、カメラ側のＵＩと画像形成装置側のＵＩのそれぞれで設定が必要になり、ユーザに混乱を招いてしまう。
【００１０】
また、画像データの転送先を既存のフォルダにしたい場合には、画像形成装置側のＵＩにおいて所望のフォルダを探す必要があり、多くのフォルダがある環境においてはそのフォルダを探し出すのに手間がかかってしまう。
【００１１】
さらに、既存のフォルダにはしばしばパスワード等によるアクセス制限を行い、特定のユーザしかアクセスできないように設定されていることが多い。そのようなフォルダに画像データを転送する場合には、当然認証のための識別情報の入力が必要になり、デジタルカメラからの転送時も同様であり、手間がかかってしまう。
【００１２】
一方、従来技術に声紋認証を利用した技術として、迷惑電話防止システムがあるが、その技術をデジタルカメラから画像形成装置への画像データ転送に応用することを考えた場合、転送時に転送先のフォルダ名を発声することは、画像形成装置の設置場所によってはユーザにとって不都合なことがある。また、声紋認証により個人を特定することは可能であっても、転送先のフォルダ名を特定するために発声された音声情報をテキスト化してフォルダ名を認識することはテキスト化の精度の観点で非常に難しい。
【課題を解決するための手段】
【００１３】
上述した課題を解決するために、本発明は、撮像装置を接続可能な画像形成装置であって、画像データや関連するデータを保持するデータ保持手段と、前記データ保持手段により保持するデータをユーザ別のフォルダを作成してユーザ識別情報とともに管理するデータ管理手段と、前記データ管理手段により管理されているユーザ別のフォルダに対して前記ユーザ識別情報を用いた所定の認証手段によるアクセス制限を行うアクセス制限手段と、前記撮像装置と通信を行う通信手段と、前記通信手段により前記撮像装置に記憶されている画像データおよび付属データを受信するデータ受信手段と、前記受信手段により受信した付属データの一部からユーザの識別に利用可能な情報を生成するユーザ識別情報生成手段と、前記受信手段により受信した付属データに前記ユーザ識別情報生成手段によるユーザ識別情報を生成可能なデータが含まれていれば前記ユーザ識別情報生成手段により生成されるユーザ識別情報を前記アクセス制限手段における前記認証手段に利用して該ユーザ識別情報に合致するユーザ識別情報を有するフォルダを検索する検索手段と、前記検索手段により前記撮像手段より受信した付属データから生成されるユーザ識別情報に合致するユーザ識別情報を有するフォルダが存在する場合に前記撮像手段より受信した画像データおよび付属データを該フォルダに保存する第１のデータ保存手段とを有することを特徴とする。
【００１４】
さらに、前記画像形成装置は、前記検索手段により前記撮像手段より受信した付属データから生成されるユーザ識別情報に合致するユーザ識別情報を有するフォルダが存在しない場合に新規のフォルダを作成し、前記撮像手段より受信した画像データおよび付属データを前記新規フォルダに保存する第２のデータ保存手段を有することを特徴とする。
【００１５】
前記認証手段は、声紋認証によるものであり、さらに、前記データ管理手段は、前記データ保持手段により保持するデータをユーザ別のフォルダを作成してユーザの声紋情報とともに管理し、前記ユーザ識別情報生成手段は、前記受信手段により受信した付属データに前記撮像装置においてユーザが入力した音声メモから成る音声データから該ユーザの声紋情報を生成し、前記検索手段は、声紋認証手段による照合結果に従って所定のフォルダを検索することを特徴とする。
【発明の効果】
【００１６】
本発明によって、デジタルカメラで撮影した画像データを、画像形成装置においてユーザ別に管理されている既存のデータ格納フォルダに転送する際に、デジタルカメラ側と画像形成装置側の両方のＵＩ操作による設定を行う必要がなく、本人のフォルダを探す手間を省くことができるため、デジタルカメラとのダイレクト接続環境での画像データ転送においてユーザの利便性を向上させることができる。
【００１７】
また、声紋認証により本人のフォルダを特定するため、パスワードの入力の手間が省けると同時に、安全で確実な画像データ転送を行うことができる。
【発明を実施するための最良の形態】
【００１８】
（実施例１）
本発明に係る第１実施形態に係る画像形成装置について、図面を参照して説明する。
【００１９】
〔図１の説明〕
図１は、本発明の１つの実施形態に係る全体システム構成の一例を示す図である。
【００２０】
図において、１０１はコピー機能や印刷機能、スキャン機能、ＦＡＸ機能等を有した複合機であり、複数のパーソナルコンピュータ（以下「ＰＣ」と称す）１０３、１０４とともにネットワーク（以下「ＬＡＮ」と称す）１１０に接続されている。例えばＰＣ１０３と複合機１０１の間では、ＰＣ１０３で作成されたドキュメントを印刷するためにＰＣ１０３から複合機１０１へ印刷データが送信されたり、複合機１０１の機器状態を通知するために複合機１０１からＰＣ１０３へ機器情報の通知が行われたりする。
【００２１】
一方、１０２はデジタルカメラであり、複合機１０１に直接繋がれている。例えばデジタルカメラ１０２と複合機１０１の間では、デジタルカメラ１０２から複合機１０１へ画像データの転送が行われたり、複合機１０１からデジタルカメラ１０２へ画像データの転送完了通知が行われたりする。
【００２２】
〔図２の説明〕
図２は、画像形成装置の制御構成を示すブロック図である。
【００２３】
図において、ＣＰＵ２０１は、画像形成装置全体の制御を司るマイクロプロセッサで、リアルタイムＯＳによって動作している。
【００２４】
メモリ２０２はＣＰＵ２０１が動作する上でのワークメモリであり、ＣＰＵ２０１から高速にアクセスできるものである。
【００２５】
ＨＤＤ２０３は前記ＣＰＵ２０１が動作を行う上で使用する複数のアプリケーションプログラムを蓄積しておく大容量ハードディスクであり、前述のＣＰＵ２０１の管理下にあるものである。
【００２６】
高速ＣＰＵバス２０４は前述したＣＰＵ２０１、メモリ２０３、ＨＤＤ２０２や、後述する各機能ユニット間を接続するバスで、ＣＰＵ２０１が処理したデータを各機能ユニットに転送したり、各機能ユニット間同士でデータを高速に転送（ＤＭＡ転送）したりするためのものである。一般的にはＶＬバスまたはＰＣＩバスが用いられる。しかし、この規格は特に限定されるものではなく、高速バスであれば任意のものが使用できる。
【００２７】
ＲＩＰ２０５は後述するコンピュータと接続されている外部インタフェースより入力される画像形成コマンドを受け取り、その受取った画像形成コマンドの内容に従ってビットマップ画像に変換を行う機能ユニットである。画像形成コマンドは高速ＣＰＵバス２０４より入力され、後述する高速イメージバス２０９にイメージ画像を出力するものである。ＲＩＰの種類としては、ポストスクリプト、ＰＣＬ、ＬＩＰＳ、ＣａＰＳＬ等があげられる。
【００２８】
画像処理部２０６は、高速イメージバス２０９から入力されたイメージ画像をＣＰＵ２０１の指示による処理命令に従って、スムージング処理やエッジ処理などのイメージ画像に対するフィルタリング処置を行う機能ユニットである。この他にも、画像処理部２０６は、高速イメージバス２０９より入力された画像に対して文字認識（ＯＣＲ）機能や、文字部とイメージ部を分離するイメージセパレート機能をも有する。
【００２９】
圧縮／伸長部２０７は、高速イメージバス２０９から入力されたイメージ画像に対して、ＭＨ，ＭＲ，ＭＭＲ，ＪＰＥＧ等の画像圧縮方法により圧縮をかけ、高速ＣＰＵバス２０４または、再び高速イメージバス２０９にその圧縮されたデータを送出したり、その逆にそれらの２つのバスから入力された圧縮データを、この機能ユニットにより圧縮された方式に従って伸長し、高速イメージバス２０９に送出したり機能を持つものである。
【００３０】
バスブリッジ２０８は、高速ＣＰＵバス２０４と後述する低速ＣＰＵバス２１０間のインタフェース機能を有するバスブリッジコントローラであり、バス間の処理スピードの差を吸収するものである。このバスブリッジ２０８を介することで高速に動作するＣＰＵ２０１は低速ＣＰＵバス２１０に接続された低速に動作する機能ユニットをアクセスすることができる。
【００３１】
低速ＣＰＵバス２１０は、高速ＣＰＵバス２０４より転送速度の遅いバス構成となっており、処理能力の比較的遅い機能ユニットが接続されるためのバスである。一般的にはＩＳＡバス等があげられる。
【００３２】
モデム２１７は、公衆回線２１８と低速ＣＰＵバス２１０とを介在する機能ユニットであり、低速ＣＰＵバス２１０より送られてきたデジタルデータを受け取り、公衆回線に出力可能なデータ形式に変調する機能と、公衆回線より送られてきた変調されたデータを画像形成装置内で処理できるデジタルデータに変換する機能を持つ。
【００３３】
ＬＡＮインタフェース２１９は、ＬＡＮ２２０に接続するための機能ユニットで、ＬＡＮ２２０を介してコンピュータからの制御コマンドを受け取ったり、コンピュータに対して画像形成装置のステータスを返したりするために使用される。
【００３４】
ＵＳＢインタフェース２２１は、画像形成装置とホストコンピュータ２２２を接続するための機能ユニットで、ホストコンピュータ２２２からの制御コマンドを受け取ったり、ホストコンピュータ２２２に対して画像形成装置のステータスを返したりするために使用される。
【００３５】
ＵＳＢホストインタフェース２２３は、画像形成装置とデジタルカメラ１０２を接続するための機能ユニットで、デジタルカメラ１０２からの制御コマンドを受け取ったり、デジタルカメラ１０２に対して画像形成装置のステータスを返したりするために使用される。
【００３６】
パネルインタフェース２１５は、画像形成装置における操作部２１６との各種制御信号をやり取りするところで、操作部２１６に配置されているキー等の入力スイッチの信号をＣＰＵ２０１に伝えたり、ＲＩＰ２０５、画像処理部２０６、圧縮／伸長部２０７で作成された画像データを操作部２１６にある液晶表示部に表示するための解像度変換を行ったりするユニットである。
【００３７】
高速イメージバス２０９は、各種画像生成ユニット（ＲＩＰ２０５、画像処理２０６、圧縮／伸長部２０７）における画像入出力バスと後述するスキャナインタフェース２１１、プリンタインタフェース２１３とを相互に接続するためのバスである。このバスの制御はＣＰＵ２０１の管理下にはおかれず、不図示のバスコントローラによって制御され、バスコントローラの制御下でデータ転送を行う。
【００３８】
スキャナユニット２１２は、原稿自動送り装置を備えた可視画像読み取り装置で、セットされた原稿画像をＲＧＢの３ラインのＣＣＤカラーセンサまたは、１ラインの白黒のＣＣＤラインセンサで読み取るものである。このスキャナユニット２１２で読み取られた原稿画像データは、スキャナインタフェースユニット２１１によって、高速イメージバス２０９に転送される。
【００３９】
スキャナインタフェースユニット２１１においては、スキャナユニット２１２で読み取られた画像データを、その後の過程における処理の内容によって、最適な２値化を行い、高速イメージバス２０９のデータ幅に合わせたシリアル−パラレル変換を行ったり、読み込まれたＲＧＢの３原色のカラーデータ（輝度カラーデータ）をＣＭＹＢｋのデータ（濃度カラーデータ）に変換したりする機能を持ち合わせる。
【００４０】
プリンタユニット２１４は、後述するプリンタインタフェースユニット２１３から受け取った画像データを、記録用紙上に可視画像データとして印刷するものである。プリンタユニット２１４には、バブルジェット（登録商標）方式を用いて記録用紙上に印刷するバブルジェット（登録商標）プリンタや、レーザ光線を利用して感光ドラム上に画像を形成し記録用紙に画像を形成する電子写真技術を利用したレーザビームプリンタがあげられる。レーザビームプリンタには単色のものと、ＣＭＹＢｋによるカラーレーザビームプリンタがある。
【００４１】
プリンタインタフェースユニット２１３は、高速イメージバス２０９から送られてきた画像データをプリンタユニット２１４に転送するもので、高速イメージバス２０９のバス幅から出力しようとするプリンタの階調に合わせたバス幅に変換するバス幅変換機能や、プリンタの印刷速度と高速イメージバス２０９の画像データの転送速度の差を吸収するための機能を有する。
【００４２】
操作部２１６は、液晶表示部と液晶表示部の表示画面上に配設されたタッチパネル入力装置と、複数個のハードキーを有する。タッチパネル入力装置またはハードキーの入力に対応した入力信号は、パネルインタフェース２１５を介してＣＰＵ２０１に伝えられ、液晶表示部はパネルインタフェース２１５から送られてきた画像データを表示する。この液晶表示部には、本画像形成装置の操作における機能表示や画像データ等を表示する。
【００４３】
〔図３の説明〕
図３は、デジタルカメラ１０２内のフォルダ構造を示す図である。
【００４４】
図において、ルート３０１直下の階層には、画像関連情報のフォルダ「ＤＣＩＭ」３０１とＤＰＯＦ（Ｄｉｇｉｔａｌ  Ｐｒｉｎｔ  Ｏｒｄｅｒ  Ｆｏｒｍａｔ）の設定を行うと作成されるフォルダＭＩＳＣ  ３０３が存在している。さらに、「ＤＣＩＭ」３０１の下の階層には、画像データが保存されるフォルダ「ＸＸＸＣＯＭ」３０４と画像データのフォルダを管理するためのファイルが保存されているフォルダ「ＸＸＸＭＳＣ」３０５が存在している。「ＸＸＸＣＯＭ」３０４のフォルダに保存されているファイルには、３０７、３０９、３１１など拡張子が「ＪＰＧ」のＪＰＥＧフォーマットの画像ファイルと３０８、３１０、３１２など拡張子が「ＷＡＶ」の音声ファイルがある。一方、「ＸＸＸＭＳＣ」３０５には、画像フォルダを管理するためのファイルとして３１３、３１４のファイルが保存されている。３０６はＤＰＯＦに関連するファイルである。
【００４５】
例えば、デジタルカメラ１０２を操作して、撮影を行うと３０７の画像ファイルが作成され、さらにその画像に対して音声メモを入力すると、３０８の音声ファイルが作成される。
【００４６】
デジタルカメラ１０２を複合機１０１に繋いで画像データの転送指示を行うと、３０４のフォルダに保存されている３０７から３１２までのファイルが転送されることになる。
【００４７】
〔図４の説明〕
図４は、画像形成装置１０１を構成するＨＤＤ２０３内のフォルダ構造の一部を示す図である。
【００４８】
図において、ＨＤＤ２０３内のフォルダには、ユーザ毎に専用のフォルダを追加可能なユーザフォルダ４０１が存在する。ユーザフォルダ４０１の下の階層には、ユーザ別にアクセス権を設定可能な各ユーザ専用のフォルダが存在する。
【００４９】
ユーザＡの専用フォルダとして「ユーザＡ」４０２が、ユーザＢの専用フォルダとして「ユーザＢ」４０３が、ユーザＣの専用フォルダとして「ユーザＣ」がそれぞれ登録されている。
【００５０】
さらに、例えば「ユーザＡ」４０２の下には、ユーザＡの声紋情報が格納されたファイル「声紋情報Ａ」４０５の他に、画像ファイル４１０、４１２、４１４、音声ファイル４１１、４１３、４１５などのファイルで構成されるフォルダ「２００４０１０１」４０６や画像ファイル４１６、４１７などのファイルで構成されるフォルダ「２００４０１０２」４０７などが、日付に基づくフォルダ名で保存されている。
【００５１】
〔図５の説明〕
図５は、画像形成装置１０１にデジタルカメラ１０２を繋いで、デジタルカメラ１０２から画像形成装置にダイレクトで画像データおよび画像関連情報を転送するときの画像形成装置１０１の処理の流れを示すフローチャートである。
【００５２】
図において、デジタルカメラからのダイレクト転送が始まると、まずステップＳ１０１において、デジタルカメラ１０２から画像データ（例えば、図３における３０７、３０９、３１１）、および画像関連情報（例えば、図３における３０８、３１０、３１２など）を受信する。
【００５３】
ステップＳ１０１の詳細な処理は、例えば特許文献２における図９のような通信手段により、画像の転送処理を行えばよい。特許文献２においては、印刷が目的であるが、ここでは、画像データの転送が目的であるため、印刷完了の代わりに転送完了として解釈すればよい。
【００５４】
次に、ステップＳ１０２においては、ステップＳ１０１において転送された画像関連情報の中に音声メモが記録された音声ファイルが含まれているかどうかを判断する。音声メモファイルが含まれていれば、ステップＳ１０３に進み、そうでなければ、ステップ１０７に進む。
【００５５】
ステップＳ１０７においては、新規のフォルダを自動的に作成し、デジタルカメラ１０２から転送された画像データ、および画像関連情報をその新規フォルダに格納してダイレクト転送処理を終了する。
【００５６】
ステップＳ１０３においては、転送された画像関連情報の中に含まれる音声メモが記録された音声ファイルに対して、後述する声紋認証を行うための声紋情報の抽出を行う。
【００５７】
ステップＳ１０３の詳細な処理は、例えば特許文献７のように、デジタルカメラから転送された音声メモデータをウェーブレット変換し、級数展開した結果を声紋データとする。デジタルカメラに入力された音声メモは、例えばユーザが自らの姓名を発声した音声が録音されてものであり、画像形成装置に登録されている声紋情報もまた、ユーザが自らの姓名を発声した音声から抽出された声紋データでよい。
【００５８】
ステップＳ１０４においては、画像形成装置１０１内の各ユーザ専用のフォルダ（例えば、図４における４０２、４０３、４０４）に登録されている声紋情報（例えば、図４における４０５、４０８，４０９）を読み出し、ステップＳ１０３において抽出された声紋情報との照合を行う。ここで、声紋情報が合致するフォルダが存在するかどうかを判断し（ステップＳ１０５）、もし存在すればステップ１０６に進み、存在しなければステップＳ１０８に進む。
【００５９】
ステップＳ１０６においては、ステップＳ１０５において合致したと判断したフォルダに、ステップＳ１０１において受信した画像データ、および画像関連情報を格納する。画像データ、および画像関連情報を格納する場合には、図４において説明したように、撮影日毎に日付に基づくフォルダを作成し、撮影日付別にそれぞれに該当するフォルダに格納する。画像データ、および画像関連情報を格納が終わると、ダイレクト転送処理を終了する。
【００６０】
ステップ１０８においては、新規のフォルダを自動的に作成し、ステップＳ１０３において抽出された声紋情報と、デジタルカメラ１０２から転送された画像データ、および画像関連情報をその新規フォルダに格納してダイレクト転送処理を終了する。
【００６１】
〔図６の説明〕
図６は、図５において説明した、デジタルカメラ１０２から画像形成装置１０１に画像データおよび画像関連情報をダイレクト転送する際のデジタルカメラ１０２と画像形成装置１０１との関係を示す概念図である。
【００６２】
図において、デジタルカメラ１０２から転送される音声メモ１から抽出される声紋１と、画像形成装置１０１に存在するユーザ専用フォルダに登録されている声紋Ａ、声紋Ｂなどの各ユーザの声紋情報が比較され、認証の結果声紋１が声紋Ｂと一致した場合には、声紋Ｂが登録されているユーザＢのフォルダに画像１〜３と音声メモ１が保存される。
【００６３】
（実施例２）
実施例１の図４のステップＳ１０７、Ｓ１０８においては、新規のフォルダを自動で作成するものであったが、ダイレクト転送直前にユーザに指定のフォルダを選択させ、そこに画像データおよび画像関連情報を格納する構成でもよいし、予め設定されている既存のフォルダに格納する構成でもよい。
【００６４】
（実施例３）
実施例１においては、デジタルカメラから転送される画像データおよび画像関連情報を画像形成装置のＨＤＤに存在する所定のフォルダに保存する構成であったが、画像形成装置のＨＤＤに存在するフォルダではなく、ＬＡＮやインターネットを介してサーバで管理された他の機器の記憶装置に存在する所定のフォルダに保存する構成であってもよい。
【００６５】
（実施例４）
実施例１においては、デジタルカメラから画像形成装置へ画像データおよび画像関連情報を転送する構成であったが、転送元はデジタルカメラでなく、画像形成装置に装着可能なリムーバブルメディアであってもよい。リムーバブルメディアの場合は、画像形成装置が能動的に画像データおよび画像関連情報を読み出して、実施例１と同様の認証手段により所定のフォルダに保存する構成になる。
【００６６】
（実施例５）
実施例１においては、認証手段として音声情報から抽出される声紋情報を利用する構成であったが、認証手段は声紋認証でなく、他の生体認証によるものであってもよい。デジタルカメラのプロテクト機能として指紋認証や瞳孔や手のひらなどの静脈認証を行う機能があるなら、その認証情報を画像データといっしょに画像形成装置に転送し、画像形成装置にもデジタルカメラと同じ認証手段を有しているならその認証手段により保存先を決定し、あるいは認証サーバ認証情報といっしょに問い合わせを行って認証サーバからの認証結果に従って保存先を決定する構成でもよい。
【図面の簡単な説明】
【００６７】
【図１】本発明の１つの実施形態に係る全体システム構成の一例を示す図である。
【図２】画像形成装置の制御構成を示すブロック図である。
【図３】デジタルカメラ１０２内のフォルダ構造を示す図である。
【図４】画像形成装置１０１を構成するＨＤＤ２０３内のフォルダ構造の一部を示す図である。
【図５】画像形成装置１０１にデジタルカメラ１０２を繋いで、デジタルカメラ１０２から画像形成装置にダイレクトで画像データおよび画像関連情報を転送するときの画像形成装置１０１の処理の流れを示すフローチャートである。
【図６】デジタルカメラ１０２から画像形成装置１０１に画像データおよび画像関連情報をダイレクト転送する際のデジタルカメラ１０２と画像形成装置１０１との関係を示す概念図である。
【図１】
2007025973.tif 000003
【図２】
2007025973.tif 000004
【図３】
2007025973.tif 000005
【図４】
2007025973.tif 000006
【図５】
2007025973.tif 000007
【図６】
2007025973.tif 000008